(57)【要約】【課題】より改善されたアンテナ及びカード装着構造を有する移動通信端末機を提供する。【解決手段】本発明に係る移動通信端末機は、無線移動通信及び付加的な機能を行うための素子が実装された本体、前記本体の機能を補完し、データが保存されるカードが着脱可能に挿入されるように、前記本体の一側に備えられるソケット、および前記ソケットの周縁に連結され、無線通信信号を送信及び受信する平面型アンテナを含むことを特徴とする。【選択図】図５
2006109456.tif 000002
【特許請求の範囲】
【請求項１】
無線移動通信及び付加的な機能を行うための素子が実装された本体、
前記本体の機能を補完し、データが保存されるカードが着脱可能に挿入されるように、前記本体の一側に備えられるソケット、および
前記ソケットの周縁に連結され、無線通信信号を送信及び受信する平面型アンテナを含むことを特徴とする移動通信端末機。
【請求項２】
前記平面型アンテナは前記ソケットの入口を選択的に開閉することを特徴とする請求項１に記載の移動通信端末機。
【請求項３】
前記平面型アンテナは前記本体の一側面に沿ってスライドされることを特徴とする請求項１に記載の移動通信端末機。
【請求項４】
前記本体の一側面には、前記平面型アンテナの移動を案内するように内側に陥没したガイド部が備えられることを特徴とする請求項３に記載の移動通信端末機。
【請求項５】
前記ガイド部の両側にはガイド溝が形成され、前記平面型アンテナの両側には前記ガイド溝に挿入される挿入突起が備えられることを特徴とする請求項４に記載の移動通信端末機。
【請求項６】
前記ソケットは、前記本体の上部の一側面に備えられ、前記ソケットが開放された時には前記平面型アンテナが前記本体の上側に突出した状態で固定されることを特徴とする請求項３に記載の移動通信端末機。
【請求項７】
前記平面型アンテナには係止突起が備えられ、前記ソケットの上側には前記係止突起が挿入され固定される係止溝が形成されることを特徴とする請求項６に記載の移動通信端末機。
【請求項８】
前記平面型アンテナの一端は、前記本体の一側面に回転可能に連結され、他端は前記本体の一側面に選択的に固定されることを特徴とする請求項１に記載の移動通信端末機。
【請求項９】
前記平面型アンテナは前記本体の一側面と平行した回転軸を基準に回転することを特徴とする請求項８に記載の移動通信端末機。
【請求項１０】
前記本体の一側面には、前記平面型アンテナが挿入されるように内側に陥没したガイド部が備えられることを特徴とする請求項８に記載の移動通信端末機。
【請求項１１】
前記平面型アンテナの一端は、前記本体の一側面にヒンジを用いて結合され、他端は前記本体の一側面に選択的にフークを用いて固定されることを特徴とする請求項１０に記載の移動通信端末機。
【請求項１２】
前記平面型アンテナが上側に完全に回転した時には、前記本体の一側面に拘束され、上側に突出した状態を維持することを特徴とする請求項８に記載の移動通信端末機。
【請求項１３】
前記平面型アンテナは、マイクロストリップ基板からなることを特徴とする請求項１に記載の移動通信端末機。
【請求項１４】
前記ソケットの内部には第１端子が露出され、前記カードの連結端子は前記第１端子と前記ソケットの内側面の間にクランピングされて固定されることを特徴とする請求項１に記載の移動通信端末機。
【請求項１５】
無線移動通信及び付加的な機能を行うための素子が実装された本体、
前記本体の機能を補完し、データが保存されるカードが着脱可能に挿入されるように、前記本体の一側に備えられるソケット、
前記ソケットを開閉するために、前記ガイド部に沿ってスライドされて移動し、無線通信信号を送信及び受信する平面型アンテナ、
前記平面型アンテナの移動を案内するように、前記ソケットの周縁に内側に陥没して備えられたガイド部を含むことを特徴とする移動通信端末機。
【請求項１６】
無線移動通信及び付加的な機能を行うための素子が実装された本体と、
前記本体の機能を補完し、データが保存されるカードが着脱可能に挿入されるように前記本体の一側に備えられるソケット、
前記ソケットの入口を開閉するために、一端が前記本体の一側面に平行した回転軸を基準に回転可能に連結され、他端は前記本体の一側面に選択的に固定され、無線通信信号を送信及び受信する平面型アンテナ、および
前記ソケットの周縁に前記平面型アンテナが挿入されるように内側に陥没したガイド部を含むことを特徴とする移動通信端末機。
【発明の詳細な説明】
【技術分野】
【０００１】
本発明は移動通信端末機に関し、より詳細にはカードを装着できるように構成された移動通信端末機に関する。
【背景技術】
【０００２】
一般に、携帯電話及びＰＤＡなどの移動通信端末機は音声情報を伝達する装置である。
【０００３】
しかし、近来、技術の発展に伴い、前記移動通信端末機は音声情報のみを伝達することに止まらず、文字、画像情報、ゲームなどをユーザーに提供するに至った。
【０００４】
そればかりでなく、最近は移動通信端末機にＭＰ３ファイルなどのオーディオファイルを再生できるオーディオプレーヤー機能と、デジタル写真及び映像を撮影できるデジタルカメラ機能まで結合されている。したがって、このように用途が次第に拡張されている移動通信端末機は、今では生活必需品として位置付けられている。
【０００５】
前記移動通信端末機の活用分野がさらに拡大することに伴い、最近は各種の機能を行ったりデータを保存するカードが前記移動通信端末機の一側に着脱式で装着される。
【０００６】
図１は従来の技術に係る移動通信端末機を示す斜視図である。
【０００７】
図１に示したように、ユーザーの移動通信端末機の使用様態により、好みに合わせて別途のカード５を選択的に装着して使用するように、前記移動通信端末機の本体１に別途に備えられたカード装着用ソケット４が備えられる。
【０００８】
前記移動通信端末機に装着されるカード５は、スマートカードとメモリカードとに区分される。ここで、前記スマートカードには各種の認証に関する情報、決裁のための信用カードに関する情報、通帳情報などが保存されることで、前記端末機を共通カードや信用カードに用いることができる。さらに、前記端末機は口座照会、振り込み、出金、小切手の照会のような電子通帳としての機能も有する。また、前記端末機には赤外線通信のような近距離通信モジュールを適用することで、無線通信を介したスマートカードの決裁が実現可能である。
【０００９】
前記スマートカードと端末機との統合は、移動通信端末機のローミングサービスを提供するために、スマートカードを加入者確認モジュールに使用する場合にも適用されており、加入者確認モジュールとしてのスマートカードとしては、例えばＳＩＭ(Subscriber  Identity  Module)カード、ＵＳＩＭ(Universal  Subscriber  Identity  Module)、ＵＩＭ(User  Identity  Module)カード、ＲＵＩＭ(Removable  User  Identity  Module)カードなどがある。
【００１０】
一方、携帯電話を始めた移動通信端末機は、その機能が次第に多様化、拡大化することよって要求される保存容量がますます増加している。例えば、画像を撮影及び保存できるデジタルカメラ又はＭＰ３プレーヤーが提供された携帯電話機は、撮影した映像データ及びＭＰ３ファイルを保存するための多容量の追加メモリを必要とする。
【００１１】
ここで、前記メモリカードは多様な形態で開発されており、主にフラッシュメモリを用いたカードの形態からなり、例えば保安デジタルカード（Secure  Digital  Card：ＳＤカード）、メモリスチック（ＭＳカード）、スマートメディアカード（ＳＭＣカード）、コンパクトフラッシュ（登録商標）カード（ＣＦＣカード）、マルチメディアカード（ＭＭＣカード）などで標準化されて用いられている。
【００１２】
しかし、前記移動通信端末機の本体内に内装されたメモリカード又はスマートカードによって前記端末機の価格が上昇するばかりでなく、前記メモリを使用しないユーザーには浪費的な要素となる。したがって、前記移動通信端末機に前記カードが内装されないことが好ましい。
【００１３】
図１に示したように、前記端末機の本体１の側面には前記カード５が着脱可能に挿入されるソケット４が備えられる。前記カード５が前記ソケット４に挿入された後、前記ソケット４の入口は別途のカーバー６によって閉鎖される。ここで、前記カーバー６はゴムのような伸縮性の物質からなり、前記カーバー６の一側は前記本体の側面と連結される。
【００１４】
また、前記端末機本体１の上部の一側には無線通信電波を送受信するためのアンテナ７が上側に所定の長さほど突出する。また、前記アンテナ７の下部は前記本体１の一側と締結され、前記アンテナ７の下端は前記端末機本体１の内部から下側に延長され、無線通信信号の送信及び受信部と電気的に連結される。
【発明の開示】
【発明が解決しようとする課題】
【００１５】
しかしながら、従来技術に係る移動通信端末機には次のような問題点がある。
【００１６】
第一に、前記ゴム材質のカバーは長時間の使用で切れる問題があった。前記カバーと端末機本体との連結部分が切れた場合、前記ゴムカバーが脱去され、紛失されるおそれがあった。
【００１７】
第二に、前記端末機の本体から前記アンテナが上側に突出するので、携帯が容易ではなかった。即ち、ユーザーが前記端末機をポケットに入れて活動する場合に前記アンテナと本体との連結部分が破損されるという問題があった。
【００１８】
本発明は上記の問題点を解決するためのもので、その目的は、より改善されたアンテナ及びカード装着構造を有する移動通信端末機を提供することにある。
【課題を解決するための手段】
【００１９】
上記目的を達成するために、本発明に係る移動通信端末機は、無線移動通信及び付加的な機能を行うための素子が実装された本体、前記本体の機能を補完し、データが保存されるカードが着脱可能に挿入されるように、前記本体の一側に備えられるソケット、および前記ソケットの周縁に連結され、無線通信信号を送信及び受信する平面型アンテナを含むことを特徴とする。
【００２０】
ここで、前記平面型アンテナは前記ソケットの入口を選択的に開閉する。
【００２１】
前記平面型アンテナは前記本体の一側面に沿ってスライドされ、前記本体の一側面には、前記平面型アンテナの移動を導くように内側に陥没したガイド部が備えられる。
【００２２】
前記ガイド部の両側にはガイド溝が形成され、前記平面型アンテナの両側には前記ガイド溝に挿入される挿入突起が備えられる。
【００２３】
前記ソケットは、前記本体の上部の一側面に備えられ、前記ソケットが開放された時には前記平面型アンテナが前記本体の上側に突出した状態で固定される。
【００２４】
前記平面型アンテナには係止突起が備えられ、前記ソケットの上側には前記係止突起が挿入され固定される係止溝が形成される。
【００２５】
一方、前記平面型アンテナの一端は、前記本体の一側面に回転可能に連結され、他端は前記本体の一側面に選択的に固定される。ここで、前記平面型アンテナは前記本体の一側面と平行した回転軸を基準に回転する。
【００２６】
前記本体の一側面には、前記平面型アンテナが挿入されるように内側に陥没したガイド部が備えられる。
【００２７】
前記平面型アンテナの一端は、前記本体の一側面にヒンジを用いて結合され、他端は前記本体の一側面に選択的にフックを用いて固定される。
【００２８】
前記ソケットは前記本体の上部の一側面に備えられ、前記ソケットが開放された時には前記平面型アンテナが前記本体の上側に突出した状態で固定される。ここで、前記平面型アンテナはマイクロストリップ基板からなる。
【００２９】
前記ソケットの内部には第１端子が露出され、前記カードの連結端子は前記第１端子と前記ソケットの内側面の間にクランピングされて固定される。
【００３０】
一方、上記目的を達成するために、本発明に係る移動通信端末機は、無線移動通信及び付加的な機能を行うための素子が実装された本体、前記本体の機能を補完し、データが保存されるカードが着脱可能に挿入されるように、前記本体の一側に備えられるソケット、前記ソケットを開閉するために、前記ガイド部に沿ってスライドされて移動し、無線通信信号を送信及び受信する平面型アンテナ、前記平面型アンテナの移動を導くように、前記ソケットの周縁に内側に陥没して備えられたガイド部を含むことを特徴とする。
【００３１】
また、上記目的を達成するために、本発明は、無線移動通信及び付加的な機能を行うための素子が実装された本体、前記本体の機能を補完し、データが保存されるカードが着脱可能に挿入されるように前記本体の一側に備えられるソケット、前記ソケットの入口を開閉するために、一端が前記本体の一側面に平行した回転軸を基準に回転可能に連結され、他端は前記本体の一側面に選択的に固定され、無線通信信号を送信及び受信する平面型アンテナ、および前記ソケットの周縁に前記平面型アンテナが挿入されるように内側に陥没したガイド部を含むことを特徴とする。
【００３２】
上記目的を達成するために、本発明は、例えば、以下の手段を提供する。
（項目１）
無線移動通信及び付加的な機能を行うための素子が実装された本体、
前記本体の機能を補完し、データが保存されるカードが着脱可能に挿入されるように、前記本体の一側に備えられるソケット、および
前記ソケットの周縁に連結され、無線通信信号を送信及び受信する平面型アンテナを含むことを特徴とする移動通信端末機。
（項目２）
前記平面型アンテナは前記ソケットの入口を選択的に開閉することを特徴とする項目１に記載の移動通信端末機。
（項目３）
前記平面型アンテナは前記本体の一側面に沿ってスライドされることを特徴とする項目１に記載の移動通信端末機。
（項目４）
前記本体の一側面には、前記平面型アンテナの移動を案内するように内側に陥没したガイド部が備えられることを特徴とする項目３に記載の移動通信端末機。
（項目５）
前記ガイド部の両側にはガイド溝が形成され、前記平面型アンテナの両側には前記ガイド溝に挿入される挿入突起が備えられることを特徴とする項目４に記載の移動通信端末機。
（項目６）
前記ソケットは、前記本体の上部の一側面に備えられ、前記ソケットが開放された時には前記平面型アンテナが前記本体の上側に突出した状態で固定されることを特徴とする項目３に記載の移動通信端末機。
（項目７）
前記平面型アンテナには係止突起が備えられ、前記ソケットの上側には前記係止突起が挿入され固定される係止溝が形成されることを特徴とする項目６に記載の移動通信端末機。
（項目８）
前記平面型アンテナの一端は、前記本体の一側面に回転可能に連結され、他端は前記本体の一側面に選択的に固定されることを特徴とする項目１に記載の移動通信端末機。
（項目９）
前記平面型アンテナは前記本体の一側面と平行した回転軸を基準に回転することを特徴とする項目８に記載の移動通信端末機。
（項目１０）
前記本体の一側面には、前記平面型アンテナが挿入されるように内側に陥没したガイド部が備えられることを特徴とする項目８に記載の移動通信端末機。
（項目１１）
前記平面型アンテナの一端は、前記本体の一側面にヒンジを用いて結合され、他端は前記本体の一側面に選択的にフークを用いて固定されることを特徴とする項目１０に記載の移動通信端末機。
（項目１２）
前記平面型アンテナが上側に完全に回転した時には、前記本体の一側面に拘束され、上側に突出した状態を維持することを特徴とする項目８に記載の移動通信端末機。
（項目１３）
前記平面型アンテナは、マイクロストリップ基板からなることを特徴とする項目１に記載の移動通信端末機。
（項目１４）
前記ソケットの内部には第１端子が露出され、前記カードの連結端子は前記第１端子と前記ソケットの内側面の間にクランピングされて固定されることを特徴とする項目１に記載の移動通信端末機。
（項目１５）
無線移動通信及び付加的な機能を行うための素子が実装された本体、
前記本体の機能を補完し、データが保存されるカードが着脱可能に挿入されるように、前記本体の一側に備えられるソケット、
前記ソケットを開閉するために、前記ガイド部に沿ってスライドされて移動し、無線通信信号を送信及び受信する平面型アンテナ、
前記平面型アンテナの移動を案内するように、前記ソケットの周縁に内側に陥没して備えられたガイド部を含むことを特徴とする移動通信端末機。
（項目１６）
無線移動通信及び付加的な機能を行うための素子が実装された本体と、
前記本体の機能を補完し、データが保存されるカードが着脱可能に挿入されるように前記本体の一側に備えられるソケット、
前記ソケットの入口を開閉するために、一端が前記本体の一側面に平行した回転軸を基準に回転可能に連結され、他端は前記本体の一側面に選択的に固定され、無線通信信号を送信及び受信する平面型アンテナ、および
前記ソケットの周縁に前記平面型アンテナが挿入されるように内側に陥没したガイド部を含むことを特徴とする移動通信端末機。
【発明の効果】
【００３３】
本発明に係る移動通信端末機には次のような効果がある。
【００３４】
第一に、前記カードが装着されるソケットの入口は平面型アンテナによって開閉されるので、別途のカバーを装着する必要がない。したがって、前記移動通信端末機の小型化が可能となる。
【００３５】
第二に、前記ソケットの入口を選択的に開閉するために、前記平面型アンテナが前記本体の一側面にスライディング方式又はヒンジ方式で結合されるので、前記平面型アンテナが長時間使用で破損されたり紛失されることが防止される。
【００３６】
第三に、前記平面型アンテナは前記端末機本体の上側に選択的に突出するので、携帯が容易である。即ち、ユーザーが前記端末機をポケットに入れて活動する場合には、前記平面型アンテナが前記本体の一側面に固定され突出することが防止されるので、前記平面型アンテナの破損が防止される。
【発明を実施するための最良の形態】
【００３７】
以下、本発明の好適な実施の形態について、添付の図面に基づいて詳細に説明する。
【００３８】
まず、添付の図２乃至図７を参照にして、本発明の実施例による移動通信端末機を詳細に説明する。
【００３９】
図２は本発明の一実施例による移動通信端末機を示す斜視図で、図３は前記平面型アンテナによって前記ソケットの入口が閉鎖された状態を示す斜視図である。
【００４０】
図２及び図３に示したように、本発明に係る移動通信端末機は、本体１０、ソケット１６、カード１５、そして平面型アンテナ２０を含む。ここで、前記本体１０には無線移動通信及び付加的な機能を行うための素子が実装される。前記本体１０の内部には無線通信信号の送/受信部、及びディスプレイと電気的に連結されたメインボードが備えられ、前記メインボードには制御部、内装メモリ、そして移動通信信号処理部などが備えられる。
【００４１】
ここで、前記移動通信信号処理部は、前記信号入出力部を介して入力された情報、及び前記内槽メモリに保存された情報を処理して送信する送信信号処理部と、外部から電波を受信して処理する受信信号処理部を含む。
【００４２】
前記本体１０内に備えられる無線通信信号の送信及び受信部、ディスプレイ、カメラモジュール、制御部、内装メモリ、そして移動通信信号処理部などの構成は、通常の移動通信端末機に備えられるものと同一なので更なる説明は省略する。
【００４３】
前記本体１０の後方には電源を供給する充電池が着脱可能に備えられ、前方には前記端末機の作動を操作する各種のボタンが備えられる。また、前記本体１０の前方にはフォルダー部が回転可能に備えられ、前記フォルダー部には前記端末機の作動状況をディスプレイするＬＣＤのような表示手段が備えられる。勿論、図示してはいないが、前記本体１０にはカメラモジュール（図示せず）のような負荷装置がさらに装着されることもできる。
【００４４】
一方、前記本体１０の一側面にはソケット１６が備えられ、前記ソケット１６には前記本体１０の機能を補完し、データが保存されるカード１５が着脱可能に挿入される。前記カード１５は、端末機の各種の機能を補完するスマートカード、又はデータが保存されるメモリカードとに分けられる。ここで、前記ソケット１６は、本体１０の両側面にそれぞれ備えられることができ、このような場合にはより多様な種類のカードをソケットに挿入可能である。
【００４５】
ここで、前記スマートカードとしては、ＳＩＭカード、ＵＳＩＭ、ＵＩＭカード、ＲＵＩＭカードなどが挿入/装着される。
【００４６】
また、前記メモリカードとしては、保安デジタルカード（ＳＤカード）、メモリスチック（ＭＳカード）、スマートメディアカード（ＳＭＣカード）、コンパクトフラッシュ（登録商標）カード（ＣＦＣカード）、マルチメディアカード（ＭＭＣカード）などが挿入/装着される。
【００４７】
ここで、前記各カードの形状は種類別に標準化されており、前記ソケットの内部形状は前記各種のカードの交換性を考慮して形成されることが好ましい。
【００４８】
前記ソケット１６の内部には前記カード１５に備えられた連結端子１５ａと接続する第１端子（図示せず）が露出される。前記ソケット１６に挿入されたカード１５の連結端子１５ａは前記第１端子と電気的に接続するので、前記カード１５は本体１０との信号交換を介して定まれた機能を行う。
【００４９】
一方、ソケット１６にカード１５が挿入され、装着された後には外部の異物質がソケット１６の内部に流入することを防止するために、前記ソケット１６の入口が閉鎖されなければならない。ここで、前記ソケット１６の入口は前記平面型アンテナ２０によって開閉されることが好ましい。
【００５０】
前記平面型アンテナ２０は、マイクロストリップ基板が使用されることが好ましい。
【００５１】
前記マイクロストリップ基板は、絶縁体の両面に接着した導体板のうち、一方のものをストリップ（薄い鋼板）で構成したもので、前記ストリップと導体板が電気を供給する電線となる。ここで、前記ストリップの幅を広くすると、周波数の帯域幅が広がり、電波も放射しやすくなる。また、前記マイクロストリップアンテナは印刷基板で製作するため、大量生産に適合し、高さが低くて平面状となっているため、堅固であるという長所をもつ。
【００５２】
一方、前記平面型アンテナ２０は、本体１０の一側面に沿ってスライドされ移動することで、前記ソケット１６の入口を選択的に開閉する。したがって、前記平面型アンテナ２０は、無線通信電波の送受信のためのアンテナの機能を行う同時に、前記ソケット１６の入口を開閉するカバーの機能を行う。したがって、全体的に移動通信端末機の体積を減少させるに寄与する。
【００５３】
以下、本発明の一実施例に係る前記平面型アンテナ２０が本体１０の一側面に沿って上下に移動する構造を説明する。
【００５４】
図３に示したように、前記平面型アンテナ２０は、本体１０の一側面に沿って下降して、ソケット１６の入口を閉鎖する。前記平面型アンテナ２０によってソケット１６が完全に閉鎖された場合には、外部の塵または湿気がソケット１６の内部に流入することが防止される。ここで、前記本体の外観を連続的に維持するために、平面型アンテナ２０の外側面と本体１０の外面は一致するようにすることが好ましい。
【００５５】
このために、前記本体１０の一側面には、前記平面型アンテナ２０が収容されるように内側に陥没したガイド部１７が形成される。前記ガイド部１７は、平面型アンテナ２０の左右両側面を拘束すると同時に移動を導く。
【００５６】
また、前記平面型アンテナ２０の外側面の下部には溝部２１が形成され、ユーザーが前記溝部２１を押圧した状態で上側に押すと、前記平面型アンテナ２０が上側にスライドされ移動する。ここで、前記溝部２１は、突出した突起に代替されることもできる。
【００５７】
一方、図４は図３のΙ−Ι’方向の断面図である。
【００５８】
図４に示したように、前記ガイド部１７の両側にはガイド溝１７ａが形成され、前記平面型アンテナ２０の両側には、前記ガイド溝１７ａに挿入される挿入突起２０ａが備えられる。したがって、挿入突起２０ａは、ガイド溝１７ａに拘束され、前記平面型アンテナ２０が外側に脱去することが防止されると同時に、前記平面型アンテナ２０が上下にスライドされ移動することを導く。
【００５９】
一方、前記移動通信端末機を使用する地域の無線通信電波が弱い時、つまり弱電界の場合には、前記アンテナを上側に上げて電界強度を補強した状態で通話をする必要がある。
【００６０】
前記電界強度を補強した後に用いる場合には、電波の送受信率が向上する。
【００６１】
図５は、前記平面型アンテナが上側に突出した状態を示す斜視図である。図５に示したように、前記端末機の電波送受信率を向上させるために、前記平面型アンテナ２０は上側にスライドされ、前記本体１０の上側に突出した状態で固定されることが好ましい。
【００６２】
この際、前記ソケット１６の入口が開放された状態で前記平面型アンテナ２０が本体の上側に突出した状態で固定される。
【００６３】
ここで、前記カード１５の脱去を防止するために、前記ソケット１６の内部には第１端子（図示せず）が露出され、前記カード１５の連結端子１５ａは、前記第１端子と前記ソケット１６の内側面の間にクランピングされ固定される。したがって、前記平面型アンテナ２０が本体の上側に突出して、前記ソケット１６の入口が開放された状態でも前記カード１５がソケット１６から抜け出ない。
【００６４】
図６は図５のＩＩ−ＩＩ’方向の断面図である。
【００６５】
図６に示したように、前記平面型アンテナ２０が本体１０の上側に突出した状態で固定されるようにするために、前記平面型アンテナ２０の内側面には係止突起２０ｂが備えられ、前記ソケット１６の上側の周縁には前記係止突起２０ｂが挿入され固定される係止溝１７ｂが形成される。
【００６６】
前記係止突起２０ｂは、前記ソケット１６に挿入された状態で自由に上下に移動するように、前記平面型アンテナ２０の内側面の下部に備えられる。前記平面型アンテナ２０が上側に続けてスライドされると、前記係止突起２０ｂは前記係止溝１７ｂに挿入され固定される。ここで、前記係止溝１７ｂは前記本体１０の外側面から所定の深さを有し、前記ソケット１６の周縁は前記係止溝１７ｂに挿入された係止突起２０ｂを拘束する。
【００６７】
したがって、前記係止溝１７ｂに挿入された前記平面型アンテナ２０が下側に下降することが防止される。
【００６８】
その後、前記平面型アンテナ２０を下降させるために、前記係止突起２０ｂが前記拘束状態を外れる程度の所定の力を加えて下側に加圧すると、前記係止突起２０ｂが段差を経て再び前記ソケット１６に挿入された状態で下側にスライドされる。
【００６９】
一方、前記係止突起２０ｂは、前記平面型アンテナ２０の両側面、つまり挿入突起２０ａにそれぞれ形成されることができ、このような場合には前記係止溝は前記ガイド溝１７ａの上部に形成されることが好ましい。
【００７０】
上述したような構成を通じて、前記平面型アンテナは前記スロットに挿入されたカードをカバーしたり、前記本体の上側に選択的に突出する。
【００７１】
一方、図２に示したように、少なくとも一つの端子２０ｃが前記アンテナ２０に提供され、図６に示したように、少なくとも一つの端子１０ｃが前記本体１０に備えられるが、これは前記アンテナ２０と前記移動通信信号処理部とを互いに電気的に連結するためのものである。
【００７２】
前記端子２０ｃは前記本体１０のアンテナ２０と電気的に連結される。前記端子２０ｃは、前記平板型アンテナ２０の下部、その中でも特に図２に示したように、前記アンテナ２０の一側面に提供される。他の例として、前記端子２０ｃは、図示してはいないが、前記アンテナ２０の両側面に提供されることもできる。
【００７３】
前記端子１０ｃはリード線によって前記本体１０内の前記移動通信信号処理部と電気的に連結される。前記端子１０ｃは前記ガイド部１７に備えられるが、その中でも特に、図７に示したように、前記ガイド溝１７ａに備えられることができる。前記端子１０ｃは前記ガイド溝１７ｃの下部と前記ガイド溝１７ｃの上部にそれぞれ備えられることもできる。
【００７４】
この場合、前記端子２０ｃは、図３に示したように、前記アンテナ２０が前記ソケット１６の入口を塞いでいる時は前記ガイド溝１７ａの下部に備えられた端子１０ｃと接触する。そして、前記アンテナ２０は、図５に示したように、前記アンテナ２０が前記本体１０から突出して前記ソケット１６の入口を開放させた時には前記ガイド溝１７ａの上部に備えられた端子１０ｃと接触する。
【００７５】
他の例として、前記端子１０ｃは、図示してはいないが、前記ガイド溝１７ａの下部から上部まで連続的に形成されることもできる。この場合、前記端子２０ｃは前記アンテナ２０が前記ソケット１６の入口を開閉するとき、常に前記端子１０ｃと接触する。
【００７６】
一方、図７は本発明の他の実施例による移動通信端末機を示す斜視図である。
【００７７】
図７に示したように、前記平面型アンテナ３０の一端は、前記本体の一側面に回転可能に備えられる。このために、前記平面型アンテナ３０の一端３０ａがヒンジを用いて前記本体１０の一側面に結合する。
【００７８】
図示したように、前記平面型アンテナ３０は、本体１０の一側面と平行した回転軸を基準に回転可能に備えられる。ここで、前記平面型アンテナ３０が上側に完全に回転した時には、前記本体１０の一側面の上部に拘束される。これにより、前記平面型アンテナ３０が上側に突出した状態を維持できる。
【００７９】
また、前記平面型アンテナ３０の他端は前記本体１０の一側面に選択的に固定される。
【００８０】
即ち、前記平面型アンテナ３０の他端が本体の一側面から分離された後、前記一端３０ａを基準に回転すると、前記ソケット２６の入口が開放される。
【００８１】
前記本体１０の一側面と、前記平面型アンテナ３０の外側面が連続的な外観を形成するために、前記ソケット２６の入口側には前記平面型アンテナ３０が挿入されるガイド部２７が形成される。前記ガイド部２７は、前記平面型アンテナ３０が挿入されるように、前記本体１０の一側面から内側に陥没して形成される。ここで、前記ガイド部２７の陥没した深さは前記平面型アンテナ３０の厚さと同一に形成されることが好ましい。
【００８２】
したがって、前記ソケット２６の入口を閉鎖するために、前記平面型アンテナ３０が前記ガイド部２７に挿入されると、前記本体１０の一側面と、前記平面型アンテナ３０の外側面が連続した形状をなす。
【００８３】
一方、前記平面型アンテナ３０の他端は、前記本体１０の一側面にフック締結されることが好ましい。
【００８４】
図７に示したように、前記ガイド部２７の下側の周縁面には、突出したフーク２７ａが備えられ、前記平面型アンテナ３０の他端には溝部３０ｂが形成される。したがって、前記ソケット２６の入口を閉鎖するために、ユーザーは前記平面型アンテナ３０の他端を前記フーク２７ａの上側に置き、所定の力で押すと前記フーク２７ａが溝部３０ｂに挿入され拘束される。
【００８５】
反面、前記ソケット２６の入口を開放する場合には、前記フーク２７ａの後端に形成されたボタン２７ｂを下側に引っ張り、前記フーク２７ａが溝部３０から脱去するようにした後、前記平面型アンテナ３０を上側に回転させる。
【００８６】
ここで、前記フーク及び溝部の位置及び形状は、上述した実施例に限定されず、当業者によって多様に変形されることができる。
【００８７】
一方、前記ソケット２６は、前記本体１０の上部の一側面に備えられ、前記ソケット２６が開放された時には、前記平面型アンテナ３０が前記本体１０の上側に突出した状態で固定されることが好ましい。前記端末機を使用する地域の無線通信電波が弱い時、つまり弱電界の場合には、前記アンテナを上側に上げて電界強度を高めた状態で通話をする必要がある。前記電界強度を高めた後に使用する場合には、電波の送受信率が向上する。
【００８８】
前記平面型アンテナ３０が上側に突出した状態ではソケット２６の入口が開放される。
【００８９】
この際、前記ソケット２６に挿入されたカード１４の脱去を防止するために、前記ソケット２６の内部には第１端子（図示せず）が露出され、前記カード１５の連結端子１５ａは前記第１端子と、前記ソケット２６の内側面の間にクランピングされて固定される。したがって、前記平面型アンテナ３０が本体の上側に突出して、前記ソケット２６の入口が開放された状態でも前記カード１５がソケット２６から抜け出ない。
【００９０】
このために、前記カード１５の連結端子１５ａには溝が形成され、前記第１端子は前記溝に挿入されて接触されることが好ましい。即ち、前記カード１５がソケットに挿入される時、前記第１端子は前記連結端子に沿ってスライドされつつ前記第１端子の先端は前記溝に挿入される。したがって、前記ソケット２６に挿入されたカード１５は簡単に脱去されない。
【００９１】
また、前記ソケット２６の入口の上側には、本体１０内に備えられた無線通信信号の送信及び受信部と連結される連結部が備えられ、前記平面型アンテナ３０は前記連結部と接触する。
【００９２】
例えば、図８に示したように、端子３０ｃが前記アンテナ３０のヒンジ軸３５の端部に提供され、端子１０ｄが前記ヒンジ軸３５を収容する溝に提供される。前記端子３０ｃは前記アンテナ３０のボディと電気的に連結され、前記端子１０ｄは、前記ボディ１０内に備えられた移動通信信号処理部と電気的に連結される。前記端子３０ｃと前記端子１０ｄは、前記アンテナ３０が前記ソケット２６の入口を開閉する時に互いに接触する。
【００９３】
したがって、前記アンテナ３０は前記端子１０ｄ、３０ｃによって前記移動通信号処理部と常に連結され、これによって前記端末機の送信及び受信信号は常に前記平面型アンテナを介して伝達される。
【００９４】
以上のように、本発明の好ましい実施形態を用いて本発明を例示してきたが、本発明は、この実施形態に限定して解釈されるべきものではない。本発明は、特許請求の範囲によってのみその範囲が解釈されるべきであることが理解される。当業者は、本発明の具体的な好ましい実施形態の記載から、本発明の記載および技術常識に基づいて等価な範囲を実施することができることが理解される。
【００９５】
より改善されたアンテナ及びカード装着構造を有する移動通信端末機を提供する。
【００９６】
本発明に係る移動通信端末機は、無線移動通信及び付加的な機能を行うための素子が実装された本体、前記本体の機能を補完し、データが保存されるカードが着脱可能に挿入されるように、前記本体の一側に備えられるソケット、および前記ソケットの周縁に連結され、無線通信信号を送信及び受信する平面型アンテナを含むことを特徴とする。
【図面の簡単な説明】
【００９７】
【図１】従来の移動通信端末機を示す斜視図である。
【図２】本発明の一実施例による移動通信端末機を示す斜視図である。
【図３】本発明による移動通信端末機でソケットが閉鎖された状態を示す斜視図である。
【図４】図３のΙ−Ι’方向の断面図である。
【図５】本発明に係る移動通信端末機でソケットの入口が開放された状態を示す斜視図である。
【図６】図５のＩＩ−ＩＩ’方向の断面図である。
【図７】本発明の他の実施例による移動通信端末機を示す斜視図である。
【図８】図７のＩＩＩ−ＩＩＩ’線の断面図である。
【符号の説明】
【００９８】
１０    本体
１５    カード
１６    ソケット
１７ａ  ガイド溝
１７    ガイド部
２０    平面型アンテナ
２０ａ  挿入突起
１７ｂ  係止溝
２０ｂ  係止突起
【図１】
2006109456.tif 000003
【図２】
2006109456.tif 000004
【図３】
2006109456.tif 000005
【図４】
2006109456.tif 000006
【図５】
2006109456.tif 000007
【図６】
2006109456.tif 000008
【図７】
2006109456.tif 000009
【図８】
2006109456.tif 000010